(57)【要約】  将来の無線通信システムにおいて、ＤＬサウンディングを適切に行うこと。本発明のユーザ端末は、測定用参照信号を受信する受信部と、前記測定用参照信号を用いて生成されるチャネル状態情報（ＣＳＩ）を送信する送信部と、前記測定用参照信号と同一のサブフレーム内で受信される下り制御情報（ＤＣＩ）に基づいて、前記測定用参照信号の受信を制御する制御部と、を具備する。
2017164143.tif 000002
【特許請求の範囲】
【請求項１】
測定用参照信号を受信する受信部と、
前記測定用参照信号を用いて生成されるチャネル状態情報（ＣＳＩ）を送信する送信部と、
前記測定用参照信号と同一のサブフレーム内で受信される下り制御情報（ＤＣＩ）に基づいて、前記測定用参照信号の受信を制御する制御部と、
を具備することを特徴とするユーザ端末。
【請求項２】
前記ＤＣＩは、ＤＬデータ信号の受信を指示するＤＣＩ、又は、前記測定用参照信号の受信を指示するＤＣＩであることを特徴とする請求項１に記載のユーザ端末。
【請求項３】
前記ＤＣＩは、複数のアンテナポートそれぞれに対応する複数の測定用参照信号の受信を指示する単一のＤＣＩであり、
前記制御部は、前記単一のＤＣＩに基づいて、前記複数の測定用参照信号の受信を制御することを特徴とする請求項１又は請求項２に記載のユーザ端末。
【請求項４】
前記ＤＣＩは、対応するアンテナポートの測定用参照信号の受信を指示するアンテナポート毎のＤＣＩであり、
前記制御部は、前記アンテナポート毎のＤＣＩに基づいて、前記測定用参照信号の受信を制御すること特徴とする請求項１又は請求項２に記載のユーザ端末。
【請求項５】
前記制御部は、前記ＤＣＩ、又は、前記ＤＣＩとは別に前記ＣＳＩの送信を指示するＤＣＩに基づいて、前記ＣＳＩの送信を制御することを特徴とする請求項１から請求項４のいずれかに記載のユーザ端末。
【請求項６】
前記制御部は、複数のアンテナポートそれぞれに対応する複数の測定用参照信号が同一のサブフレーム内に多重される場合、前記ＣＳＩは、少なくとも一つのアンテナポートのＣＳＩを含むことを特徴とする請求項５に記載のユーザ端末。
【請求項７】
測定用参照信号を送信する送信部と、
前記測定用参照信号を用いて生成されるチャネル状態情報（ＣＳＩ）を受信する受信部と、
前記測定用参照信号と同一のサブフレーム内で送信される下り制御情報（ＤＣＩ）を用いて、前記測定用参照信号をスケジューリングする制御部と、
を具備することを特徴とする無線基地局。
【請求項８】
無線基地局とユーザ端末との無線通信方法であって、前記ユーザ端末において、
測定用参照信号を受信する工程と、
前記測定用参照信号を用いて生成されるチャネル状態情報（ＣＳＩ）を送信する工程と、
前記測定用参照信号と同一のサブフレーム内で受信される下り制御情報（ＤＣＩ）に基づいて、前記測定用参照信号の受信を制御する工程と、
を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、５Ｇ（5th  generation  mobile  communication  system）、５Ｇ＋（5G  plus）、Ｎｅｗ−ＲＡＴ（Radio  Access  Technology）などと呼ばれる）も検討されている。【０００３】
既存のＬＴＥシステムは、ＴＤＤ（Time  Division  Duplex）やＦＤＤ（Frequency  Division  Duplex）に基づく制御を利用している。例えば、ＴＤＤでは、無線フレーム内の各サブフレームを上りリンク（ＵＬ：Uplink）に用いるか下りリンク（ＤＬ：Downlink）に用いるかが、ＵＬ／ＤＬ構成（UL/DL  configuration）に基づいて厳密に定められる。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００５】
ところで、ＬＴＥ  Ｒｅｌ．１３以降の将来の無線通信システム（例えば、５Ｇ）では、将来的な拡張性が高く、省消費電力性に優れた無線フレーム（リーン無線フレーム：Lean  radio  frameともいう）が検討されている。リーン無線フレームでは、一部のサブフレームを除いて、予め用途（例えば、ＤＬ又はＵＬなどの伝送方向、データ、参照信号、サウンディング、フィードバック情報などの信号の種類や構成など）が設定されないサブフレームを用いること（動的サブフレーム利用：Dynamic  subframe  utilization）が想定される。【０００６】
しかしながら、動的サブフレーム利用が適用される将来の無線通信システムでは、既存のＬＴＥシステムにおけるＤＬのサウンディング（チャネル状態（ＣＳＩ：Channel  State  Information）の測定）（以下、ＤＬサウンディング）方法が適合しないことが想定される。【０００７】
具体的には、既存のＬＴＥシステムでは、ＤＬサウンディングは、予め設定されるサブフレームや予め設定された位置（例えば、リソースエレメント）にマッピングされる参照信号を用いて行われる。このため、既存のＬＴＥシステムのＤＬサウンディングは、動的サブフレーム利用が適用される将来の無線通信システムでは、柔軟性や拡張性に欠ける恐れがある。【０００８】
本発明はかかる点に鑑みてなされたものであり、将来の無線通信システムにおいて、ＤＬサウンディングを適切に行うことが可能なユーザ端末、無線基地局及び無線通信方法を提供することを目的の一とする。
【課題を解決するための手段】
【０００９】
本発明の一態様に係るユーザ端末は、測定用参照信号を受信する受信部と、前記測定用参照信号を用いて生成されるチャネル状態情報（ＣＳＩ）を送信する送信部と、前記測定用参照信号と同一のサブフレーム内で受信される下り制御情報（ＤＣＩ）に基づいて、前記測定用参照信号の受信を制御する制御部と、を具備することを特徴とする。
【発明の効果】
【００１０】
本発明によれば、将来の無線通信システムにおいて、ＤＬサウンディングを適切に行うことができる。
【図面の簡単な説明】
【００１１】
【図１】リーン無線フレームの構成の一例を示す図である。
【図２】リーン無線フレームの構成の一例を示す図である。
【図３】図３Ａ〜３Ｆは、第１の態様に係るＤＬサウンディングリソースの一例を示す図である。
【図４】図４Ａ及び４Ｂは、第１の態様に係るブラインド復号回数の設定例を示す図である。
【図５】図５Ａ〜５Ｃは、第１の態様に係る複数のＤＬ−ＳＲＳの多重例を示す図である。
【図６】図６Ａ及び６Ｂは、第１の態様に係るＤＣＩの一例を示す図である。
【図７】図７Ａ及び７Ｂは、第２の態様に係るＣＳＩフィードバック制御の一例を示す図である。
【図８】図８Ａ及び８Ｂは、第２の態様に係るＣＳＩフィードバック制御の一例を示す図である。
【図９】第２の態様に係るＣＳＩフィードバック制御の一例を示す図である。
【図１０】図１０Ａ及び１０Ｂは、第２の態様に係るＣＳＩフィードバック制御の一例を示す図である。
【図１１】第２の態様に係るＣＳＩフィードバック制御の一例を示す図である。
【図１２】本実施の形態に係る無線通信システムの概略構成の一例を示す図である。
【図１３】本実施の形態に係る無線基地局の全体構成の一例を示す図である。
【図１４】本実施の形態に係る無線基地局の機能構成の一例を示す図である。
【図１５】本実施の形態に係るユーザ端末の全体構成の一例を示す図である。
【図１６】本実施の形態に係るユーザ端末の機能構成の一例を示す図である。
【図１７】本実施の形態に係る無線基地局及びユーザ端末のハードウェア構成の一例を示す図である。
【発明を実施するための形態】
【００１２】
図１及び２を参照し、ＬＴＥ  Ｒｅｌ．１３以降の将来の無線通信システム（例えば、５Ｇ）におけるリーン無線フレームを用いた通信方法の一例を説明する。図１は、リーン無線フレームの構成の一例を示す図である。図１に示すように、リーン無線フレームは、所定の時間長（例えば、５−４０ｍｓ）を有する。リーン無線フレームは、複数のサブフレームで構成され、各サブフレームは、所定の時間長（例えば、０．１２５ｍｓ、０．２５ｍｓ、１ｍｓなど）を有する。
【００１３】
リーン無線フレーム内のサブフレームは、既存のＬＴＥシステム（ＬＴＥ  Ｒｅｌ．８−１２）のサブフレームよりも短い時間長を有する。これにより、既存のＬＴＥシステムと比べて短時間での送受信が可能となる。
【００１４】
リーン無線フレームでは、予め用途が設定されるサブフレーム（固定サブフレーム：Fixed  subframeともいう）と、予め用途が設定されないサブフレーム（動的サブフレーム：Dynamic  subframe、フレキシブルサブフレーム：Flexible  subframe、動的利用サブフレーム：Dynamically  utilized  subframeともいう）とを含んで構成される。
【００１５】
リーン無線フレームにおいて、固定サブフレームのタイミングは、予め定められていてもよいし（例えば、サブフレーム＃０及び＃５など）、ＲＲＣ（Radio  Resource  Control）シグナリングなどの上位レイヤシグナリングや報知シグナリングにより設定されてもよい。また、固定サブフレームのタイミングは、セル毎に異なってもよい（セル毎のオフセット値が与えられてもよい）。例えば、図１では、ＤＬサブフレームとして予め設定される固定サブフレーム（固定ＤＬサブフレーム：Fixed  DL  subframe）が所定周期（例えば、５ｍｓ以上）で設けられる。
【００１６】
なお、リーン無線フレーム内には、複数の固定ＤＬサブフレームが設定されてもよい。この場合、固定ＤＬサブフレームをリーン無線フレーム内の特定の時間（例えば１０ｍｓ周期中の特定の２ｍｓ区間など）に集中してマッピングすることで、固定ＤＬサブフレームの周期を長くし、例えば固定ＤＬサブフレームで送受信を行う無線基地局やユーザ端末のエネルギー消費を抑圧することができる。
【００１７】
一方、固定ＤＬサブフレームをリーン無線フレーム内に分散してマッピングすることで、固定ＤＬサブフレームの周期を短くし、例えば高速で移動するユーザ端末の接続品質を担保しやすくすることができる。固定ＤＬサブフレームの時間リソース位置や周期は、あらかじめ規定された複数の組み合わせの中から無線基地局が選択し、ユーザ端末が可能性のある組み合わせをブラインドで推定するものとしても良いし、無線基地局からユーザ端末に対して報知信号やＲＲＣシグナリング等により、通知されるものとしても良い。
【００１８】
また、図示しないが、リーン無線フレーム内には、ＵＬサブフレームとして予め設定される固定サブフレーム（固定ＵＬサブフレーム：Fixed  UL  subframe）が設けられてもよい。当該固定ＵＬサブフレームでは、リーン無線フレームを用いるセルに対する初期アクセス（スタンドアローンオペレーション）のための信号（例えば、ランダムアクセスプリアンブル）用のリソースが確保されてもよい。
【００１９】
また、動的サブフレームの用途は、各動的サブフレームのＤＬ制御信号（ＤＬ制御チャネル、Ｌ１／Ｌ２制御信号、Ｌ１／Ｌ２制御チャネル等ともいう）を用いて指定されてもよいし（Dynamic  assignment）、或いは、固定ＤＬサブフレームで指定されてもよい（Semi-dynamic  assignment）。このように、動的サブフレーム利用では、各サブフレームの用途は、各サブフレームで動的（Dynamic）に指定されてもよいし、所定数のサブフレーム単位（例えば、固定ＤＬサブフレーム間の複数の動的サブフレーム単位）で準動的（Semi-dynamic）に指定されてもよい。
【００２０】
図２は、固定ＤＬサブフレーム及び動的サブフレームの構成例を示す図である。なお、図２に示す固定ＤＬサブフレーム及び動的サブフレームの構成は、一例にすぎず、図２に示すものに限られない。
【００２１】
図２に示すように、固定ＤＬサブフレームは、セルの発見（検出）、同期、メジャメント（例えば、ＲＳＲＰ（Reference  Signal  Received  Power）測定などを含むＲＲＭ（Radio  Resource  Management）測定）、モビリティ制御、初期アクセス制御などの信号の送信に用いられる。
【００２２】
固定ＤＬサブフレームで送信される信号は、例えば、検出用信号、検出測定用信号、測定用信号、モビリティ測定用信号、ディスカバリ参照信号（ＤＲＳ：Discovery  Reference  Signal）、ディスカバリ信号（ＤＳ：Discovery  Signal）、同期信号（ＰＳＳ：Primary  Synchronization  Signal及び／又はＳＳＳ：Secondary  Synchronization  Signal）、報知信号（報知情報（ＭＩＢ：Master  Information  Block）及び／又はシステム情報（ＳＩＢ：System  Information  Block））、チャネル状態情報参照信号（ＣＳＩ−ＲＳ：Channel  State  Information  Reference  Signal）の少なくとも一つであってもよい。
【００２３】
また、固定ＤＬサブフレームで送信される信号は、固定ＤＬサブフレームのＤＬ制御信号により指定されてもよいし、予め定められてもよいし、ＲＲＣシグナリングにより設定されてもよい。固定ＤＬサブフレームで送信される信号が、ＤＬ制御信号により指定される場合、無線基地局は、固定ＤＬサブフレームにおいても、ＤＬデータ受信、ＤＬサウンディングＲＳ受信等をユーザ端末に指示（スケジューリング）することができる。
【００２４】
ここで、役割の異なるＤＬ制御信号を同じＤＬ制御チャネルに多重する場合、例えばそれぞれの役割のＤＬ制御信号に対し、異なるＩＤ（ＲＮＴＩ等）でＣＲＣ（巡回冗長検査）をマスキングすることができる。この場合、固定ＤＬサブフレームで複数のユーザ端末に共通に通知する情報（例えば、ブロードキャスト信号又は報知的な信号）のスケジューリング、動的サブフレームのサブフレーム構成の情報（例えば、データチャネルの伝送方向に関する情報等）の通知、及び固定ＵＬサブフレームの位置情報の通知等を行って余ったリソースを用いて、ＤＬデータやＤＬサウンディングＲＳの送信・スケジューリングを行うことができる。
【００２５】
一方、動的サブフレームは、ＤＬ及び／又はＵＬ（以下、ＤＬ／ＵＬ）のデータ、ＤＬ／ＵＬのサウンディング、上り制御情報（ＵＣＩ：Uplink  Control  Information）のフィードバック信号、ランダムアクセスプリアンブルなど、当該動的サブフレームのＤＬ制御信号（又は、固定ＤＬサブフレーム）で指定された信号の送信に用いられる。
【００２６】
また、動的サブフレームでは、短時間の通信を可能とするために、動的サブフレーム内で送受信の制御（スケジューリング）が完結する割り当てを行ってもよい。当該割り当てを、自己完結型割り当て（self-contained  assignment）ともいう。自己完結型割り当てが行われるサブフレームは、自己完結型（self-contained）サブフレームと呼ばれてもよい。自己完結型サブフレームは、例えば、自己完結型ＴＴＩ、自己完結型シンボルセットなどと呼ばれてもよいし、他の呼称が用いられてもよい。
【００２７】
また、図２において、ＤＬ制御信号は、他の信号（例えば、データ信号など）と時分割多重（ＴＤＭ：Time  Division  Multiplexing）されているが、これに限られない。ＤＬ制御信号は、他の信号と、ＴＤＭ及び／又は周波数分割多重（ＦＤＭ：Frequency  Division  Multiplexing）されてもよいし、データ信号に埋め込まれ（embedded）てもよい（データ信号に割り当てられるシンボルの一部のリソースエレメント（ＲＥ：Resource  Element）に配置されてもよい）。
【００２８】
ところで、既存のＬＴＥシステムでは、ＤＬサウンディングは、予め設定されるサブフレームや予め設定された位置（例えば、リソースエレメント）にマッピングされる参照信号を用いて行われる。このため、既存のＬＴＥシステムのＤＬサウンディングは、動的サブフレーム利用が適用される将来の無線通信システムでは、柔軟性や拡張性に欠ける恐れがある。
【００２９】
具体的には、既存のＬＴＥシステムでは、無線基地局は、ＤＬサウンディング用の参照信号として、各サブフレームでセル固有参照信号（ＣＲＳ：Cell-specific  Reference  Signal）を送信し、上位レイヤシグナリングにより設定される所定周期（例えば、５ｍｓ又は１０ｍｓ）のサブフレームでＣＳＩ−ＲＳを送信する。ユーザ端末は、予め設定されるＣＲＳ又はＣＲＩ−ＲＳを用いてＤＬのチャネル状態を測定し、当該チャネル状態を示すチャネル状態情報（ＣＳＩ：Channel  State  Information）を周期的又は非周期的に報告する。
【００３０】
一方、ユーザ端末は、ＵＬサウンディング用の参照信号として、上位レイヤシグナリングにより設定される所定周期のサブフレーム、又は、無線基地局からＤＬ制御信号により指示されるサブフレームで、サウンディング参照信号（ＳＲＳ：Sounding  Reference  Signal）を送信する。無線基地局は、当該ＳＲＳを用いてＵＬのチャネル状態を測定する。なお、ＵＬでは、無線基地局でチャネル状態が測定されるため、ＣＳＩを無線基地局に報告する必要はない。
【００３１】
このように、既存のＬＴＥシステムでは、ＵＬサウンディングは、動的に（非周期に）送信されるＳＲＳを用いて行われ得るが、ＤＬサウンディングは、各サブフレームのＣＲＳ又は所定周期のＣＳＩ−ＲＳを用いて行わざるを得ない。このため、既存のＬＴＥシステムのＤＬサウンディングは、柔軟性や拡張性に欠け、動的サブフレーム利用が適用される将来の無線通信システムには適合しないことが想定される。
【００３２】
そこで、本発明者らは、動的サブフレーム利用が適用される将来の無線通信システムに適合するサウンディング方法として、動的にスケジューリングされるＤＬサウンディング用の参照信号を用いてＤＬサウンディングを行うことを着想した。
【００３３】
以下、本発明の一実施の形態に係る無線通信方法について説明する。なお、本実施の形態において、サブフレームは、既存のＬＴＥシステムと同一の１ｍｓであってもよいし、１ｍｓより短くてもよいし、１ｍｓより長くてもよい。また、サブフレーム内の各シンボル長は、既存のＬＴＥシステムと同一であってもよいし、既存のＬＴＥシステムよりも短くてもよいし、既存のＬＴＥシステムよりも長くてもよい。また、サブフレーム内のシンボル数は、既存のＬＴＥシステムと同一であってもよいし、異なっていてもよい。
【００３４】
また、サブフレームは、送信時間間隔（ＴＴＩ：Transmission  Time  Interval）とも呼ばれる。１ｍｓより短いサブフレーム（１ｍｓ）は、短縮サブフレーム、短縮ＴＴＩ（short  TTI）等と呼ばれてもよい。一方、既存のＬＴＥシステムのサブフレームは、ＬＴＥサブフレーム、通常ＴＴＩ（normal  TTI）、ロングＴＴＩ（long  TTI）等とも呼ばれる。
【００３５】
また、本実施の形態に係るＤＬサウンディングの制御は、上記リーン無線フレームにおける動的サブフレームで適用されてもよい。すなわち、以下において、サブフレームとは、上記リーン無線フレームにおける動的サブフレームであってもよいし、固定ＤＬサブフレームであってもよい。
【００３６】
また、本実施の形態に係るＤＬサウンディング用の参照信号（以下、ＤＬ−サウンディング参照信号（ＤＬ−ＳＲＳ）という）は、ＤＬサウンディング（ＤＬのチャネル状態の測定）に用いられる信号であれば、どのような信号であってもよい。ＤＬ−ＳＲＳは、測定用参照信号、測定用信号、ＣＳＩ−ＲＳ、ＳＲＳ等と呼ばれてもよい。
【００３７】
（第１の態様）
第１の態様では、ＤＬサウンディングの制御について説明する。第１の態様において、ＤＬ−ＳＲＳの受信は、当該ＤＬ−ＳＲＳと同一のサブフレームに含まれる下り制御情報（ＤＣＩ：Downlink  Control  Information）に基づいて制御される。
【００３８】
具体的には、当該ＤＣＩは、サブフレームにおけるＤＬ−ＳＲＳのスケジューリング（割り当て）に関する情報（以下、ＤＬ−ＳＲＳスケジューリング情報という）を含む。ユーザ端末は、ＤＣＩに含まれるＤＬ−ＳＲＳスケジューリング情報に基づいて、ＤＬ−ＳＲＳの受信を制御する。
【００３９】
＜ＤＬサウンディングリソース＞
第１の態様において、ＤＬ−ＳＲＳがマッピングされる時間及び／又は周波数リソース（以下、ＤＬサウンディングリソースという）は、上位レイヤシグナリング（例えば、ＲＲＣシグナリングや報知情報）により設定され、ＤＣＩに含まれるＤＬ−ＳＲＳスケジューリング情報は、同じサブフレーム内にＤＬ−ＳＲＳが割り当てられるか否か（ＤＬ−ＳＲＳの有無）を示してもよい。この場合、当該ＤＬ−ＳＲＳスケジューリング情報は、例えば、１ビットとすることができるので、ＤＣＩのオーバヘッドを削減できる。
【００４０】
或いは、ＤＬサウンディングリソースは、ＤＣＩに含まれるＤＬ−ＳＲＳスケジューリング情報により示されてもよい。この場合、ＤＬサウンディングリソースをＤＣＩにより動的に変更できるので、時間／周波数リソースの利用効率を向上させることができる。
【００４１】
或いは、ＤＬサウンディングリソースの複数の候補が上位レイヤシグナリングにより設定され、ＤＣＩに含まれるＤＬ−ＳＲＳスケジューリング情報は、当該複数の候補から選択されるＤＬサウンディングリソースを示してもよい。例えば、上位レイヤシグナリングによりＤＬサウンディングリソースの３つの候補が設定される場合、当該ＤＬ−ＳＲＳスケジューリング情報は、２ビットとすることができる。このため、ＤＣＩのオーバヘッドを削減しながら、無線リソースの利用効率を向上させることができる。
【００４２】
なお、以上のＤＬ−ＳＲＳスケジューリング情報は、ＤＬ−ＳＲＳが割り当てられる場合にだけ、ＤＬ−ＳＲＳの割り当てが有ることを示すために、ＤＣＩに含められてもよいし、ＤＬ−ＳＲＳが割り当てられない場合にも、ＤＬ−ＳＲＳの割り当てが無いことを示すために、ＤＣＩに含められてもよい。
【００４３】
また、以上のＤＬサウンディングリソースは、ＤＬデータ信号（ＤＬデータチャネル）がマッピングされる時間及び／又は周波数リソース（以下、ＤＬデータリソースという）と同一の粒度で割り当てられてもよいし、ＤＬデータリソースよりも粗い粒度で割り当てられてもよい。
【００４４】
ＤＬデータリソースは、ＤＣＩのオーバヘッドを削減するため、少なくとも一つのリソースブロック（ＰＲＢ：Physical  Resource  Block）をグループ化したリソースブロックグループ（ＲＢＧ：Resource  Block  Group）単位で割り当てられる。ＲＢＧは、システム帯域幅を構成するＰＲＢ数に応じて、異なるＰＲＢ数で構成される。例えば、システム帯域幅が１０ＰＲＢ以下である場合、１ＲＢＧは１ＰＲＢで構成され、システム帯域幅が１１−２６ＰＲＢである場合、１ＲＢＧは２ＰＲＢで構成され、システム帯域幅が２７−６３ＰＲＢである場合、１ＲＢＧは３ＰＲＢで構成され、システム帯域幅が６４−１１０ＰＲＢである場合、１ＲＢＧは４ＰＲＢで構成される。
【００４５】
このように、ＤＬデータリソースは、システム帯域幅に応じて異なる割り当て単位（例えば、所定数のＰＲＢ単位）（割り当て粒度）で割り当てられる。同様に、ＤＬサウンディングリソースは、システム帯域幅に応じて異なる割り当て単位（例えば、所定数のＰＲＢ単位）で割り当てられてもよい。
【００４６】
また、ＤＬサウンディングリソースの割り当て単位は、ＤＬデータリソースと同一の割り当て単位であってもよい。例えば、ＤＬデータリソースが１ＰＲＢ単位で割り当てられる場合（上記システム帯域幅が１０ＰＲＢの場合）、ＤＬサウンディングリソースも１ＰＲＢ単位で割り当てられてもよい。
【００４７】
或いは、ＤＬサウンディングリソースの割り当て単位は、ＤＬデータリソースよりも粗い粒度の割り当て単位であってもよい。例えば、ＤＬデータリソースが１ＰＲＢ単位で割り当てられる場合（上記システム帯域幅が１０ＰＲＢの場合）、ＤＬサウンディングリソースは、６ＰＲＢ単位で割り当てられてもよい。
【００４８】
図３は、第１の態様に係るＤＬサウンディングリソースの一例を示す図である。図３に示すように、ＤＬサウンディングリソースは、サブフレーム内のＤＣＩのマッピング領域（以下、制御領域という）を除く、少なくとも一部の時間及び／又は周波数リソースに割り当てられることができる。
【００４９】
例えば、図３Ａでは、ＤＬサウンディングリソースは、サブフレーム内の制御領域を除く全てのシンボルにおいて所定の帯域幅に渡り割り当てられる。図３Ｂ及び３Ｃでは、ＤＬサウンディングリソースは、サブフレーム内の一部のシンボルにおいて所定の帯域幅に渡り割り当てられる。また、図３Ｄでは、ＤＬサウンディングリソースは、サブフレーム内の制御領域を除く全てのシンボルにおいて所定の帯域幅の一部（例えば、所定数のＰＲＢ）に割り当てられる。また、図３Ｅ及び３Ｆでは、サブフレーム内の一部のシンボルにおいて所定の帯域幅の一部（例えば、所定数のＰＲＢ）に割り当てられる。
【００５０】
なお、図３における所定の帯域幅とは、システム帯域であってもよいし、ユーザ端末に割り当てられる帯域幅であってもよい。また、図３では、ＤＣＩがマッピングされる制御領域が、ＤＬ−ＳＲＳと時分割多重されるが、これに限られない。制御領域は、ＤＬ−ＳＲＳと周波数分割多重されてもよいし、時分割及び周波数分割多重されてもよい。
【００５１】
＜ＤＣＩ＞
第１の態様において、上記ＤＬ−ＳＲＳスケジューリング情報を含むＤＣＩは、（１）ＤＬデータ信号及びＤＬ−ＳＲＳの双方の受信を指示するＤＣＩ（すなわち、ＤＬデータ信号用のＤＣＩ、例えば、ＤＬアサインメント）であってもよいし、（２）ＤＬ−ＳＲＳの受信を指示するＤＣＩ（すなわち、ＤＬ−ＳＲＳ用のＤＣＩ）であってもよい。
【００５２】
上記（１）の場合、上記ＤＬ−ＳＲＳスケジューリング情報とＤＬデータ信号のスケジューリング情報とは、結合符号化されてもよい。当該結合符号化により、ＤＣＩのオーバヘッドを削減できる。また、既存のＤＣＩフォーマットを利用できるので、新たなＤＣＩフォーマットの設計負荷を削減できる。
【００５３】
上記（２）の場合、ユーザ端末は、ＤＬデータ信号用のＤＣＩとＤＬ−ＳＲＳ用のＤＣＩとをそれぞれブラインド復号する。このように、ＤＬ−ＳＲＳ用のＤＣＩをＤＬデータ信号用のＤＣＩとは別に設ける場合、ＤＬサウンディングリソースをより柔軟に割り当て可能となる。また、片方のＤＣＩの受信に失敗した場合でも、もう片方のＤＣＩを受信できる可能性があるため、ＤＬ−ＳＲＳのスケジューリング有無がＤＬデータ信号の受信を指示するＤＣＩの受信品質に影響を与えないよう制御することが可能となる。
【００５４】
図４は、第１の態様に係るブラインド復号回数の設定例を示す図である。既存のＬＴＥシステムにおいて、ＤＬデータ信号用のＤＣＩのブラインド復号の数（以下、ブランド復号数という）は、ＤＬ制御信号（ＤＬ制御チャネル、Ｌ１／Ｌ２制御チャネル）を構成する制御チャネル要素（ＣＣＥ：Control  Channel  Element）のアグリゲーションレベルに応じて定められている。具体的には、アグリゲーションレベル１、２、４、８の場合、ＤＬデータ信号用のＤＣＩのブラインド復号数は、それぞれ、６、６、２、２に設定される。
【００５５】
ＤＬ−ＳＲＳ用のＤＣＩをＤＬデータ信号用のＤＣＩとは別に設ける場合、図４Ａに示すように、ＤＬ−ＳＲＳ用のＤＣＩの分だけ、ブラインド復号の総数が増加してもよい。例えば、図４Ａでは、アグリゲーションレベル１、２、４、８の場合、ＤＬデータ信号用のＤＣＩのブラインド復号数は、既存のＬＴＥシステムと同様に設定され、ＤＬ−ＳＲＳ用のＤＣＩのブラインド復号数は、それぞれ、２、２、１、１に設定される。
【００５６】
一方、図４Ｂに示すように、ブラインド復号の総数は既存のＬＴＥシステムと同一としてもよい。例えば、図４Ｂでは、アグリゲーションレベル１、２、４、８の場合、ＤＬデータ信号用のＤＣＩのブラインド復号数は、それぞれ、４、４、１、１に設定され、ＤＬ−ＳＲＳ用のＤＣＩのブラインド復号数は、それぞれ、２、２、１、１に設定される。
【００５７】
＜複数のアンテナポートのＤＬ−ＳＲＳ＞
第１の態様では、複数のアンテナポートにそれぞれ対応する複数のＤＬ−ＳＲＳが同一のサブフレームに多重されてもよい。ユーザ端末は、単一のＤＣＩに基づいて当該複数のＤＬ−ＳＲＳの受信を制御してもよいし、或いは、アンテナポート毎のＤＣＩに基づいて、対応するアンテナポートのＤＬ−ＳＲＳの受信を制御してもよい。
【００５８】
ここで、アンテナポートとは、同じ伝搬路を経由するチャネルや信号をマッピングする仮想的なアンテナ端子と定義することができる。Multi-Input  Multi-Output（ＭＩＭＯ）の場合、例えばデータの送信レイヤ数が４であれば、４つのレイヤそれぞれに異なるアンテナポート番号を有する参照信号（ＲＳ）がマッピングされ、送信される。受信側では、４つの異なるアンテナポート番号を有するＲＳを用いて４つのレイヤそれぞれに関するチャネル推定を行い、それぞれのレイヤで得られたチャネル推定結果を用いて、受信したデータの復調を行うことができる。このように、経由する伝搬路が同じとみなすことができる仮想的なアンテナ端のことをアンテナポートと定義することができる。なお、アンテナポートは、ビームフォーミングが用いられる場合ビームインデックス等と、呼ばれてもよい。
【００５９】
図５は、第１の態様に係る複数のＤＬ−ＳＲＳの多重例を示す図である。なお、以下では、アンテナポート＃ｘ、＃ｙ、＃ｚを一例として示すが、アンテナポートの数は、３に限られず、２以下であってもよいし、４以上であってもよい。
【００６０】
図５Ａ−５Ｃに示すように、アンテナポート＃ｘ、＃ｙ、＃ｚにそれぞれ対応するＤＬ−ＳＲＳは、同一のサブフレーム内において、図５Ａに示すように、時分割多重（ＴＤＭ：Time  Division  Multiplexing）されてもよいし、図５Ｂに示すように、周波数分割多重（ＦＤＭ：Frequency  Division  Multiplexing）されてもよいし、図５Ｃに示すように、符号分割多重（ＣＤＭ：Code  Division  Multiplexing）又は空間分割多重（ＳＤＭ：Space  Division  Multiplexing）されてもよいし、これらの少なくとも２つを組み合わせて多重されてもよい。
【００６１】
図６は、第１の態様に係るＤＣＩの一例を示す図である。なお、図６では、異なるアンテナポートの複数のＤＬ−ＳＲＳがＣＤＭ又はＳＤＭにより多重される場合が示されるが、上述のように、当該複数のＤＬ−ＳＲＳの多重方法はこれに限られない。
【００６２】
図６Ａに示すように、複数のＤＬ−ＳＲＳの受信が単一のＤＣＩにより指示される場合、当該ＤＣＩは、アンテナポート＃ｘ、＃ｙ、＃ｚそれぞれのＤＬ−ＳＲＳスケジューリング情報（例えば、ＤＬサウンディングリソース又は／及びＤＬ−ＳＲＳの有無を示す情報など）と、アンテナポート＃ｘ、＃ｙ、＃ｚ間で共通の制御情報（例えば、ＤＬ−ＳＲＳの系列を生成するスクランブルＩＤや送信ポイント（ＴＰ）の情報など）や、所定のＲＮＴＩでマスキングされたＣＲＣビット領域を含んでもよい。
【００６３】
図６Ａにおいて、各アンテナポートのＤＬ−ＳＲＳスケジューリング情報とアンテナポート間で共通の制御情報とは、結合符号化されてもよい。単一のＤＣＩを用いる場合、アンテナポート間で共通の制御情報を纏めることができ、全体に対して１つのＣＲＣビット領域を追加したうえで、各アンテナポートのＤＬ−ＳＲＳスケジューリング情報を結合符号化できるので、ＤＣＩのオーバヘッドを削減できる。
【００６４】
一方、図６Ｂに示すように、各アンテナポートに対応するＤＬ−ＳＲＳの受信が、アンテナポート毎のＤＣＩにより指示される場合、各ＤＣＩは、対応するアンテナポートのＤＬ−ＳＲＳスケジューリング情報（例えば、ＤＬサウンディングリソース又は／及びＤＬ−ＳＲＳの有無を示す情報など）を含む。
【００６５】
図６Ｂにおいて、各アンテナポートのＤＬ−ＳＲＳスケジューリング情報は、別々に符号化され、異なるＤＣＩに含まれる。このため、アンテナポート毎に異なるＤＬサウンディングリソースを割り当てることができるなど、アンテナポート毎のリソース制御を容易にすることができる。また、ユーザ端末がいずれかのＤＣＩの受信に失敗した場合でも、別のＤＣＩは受信・復号に成功できるため、ＤＬ−ＳＲＳによる測定を確実に行うことができる。
【００６６】
なお、各アンテナポートのＤＣＩは、対応するＤＬ−ＳＲＳと同じビームインデックスのビームを用いて送信されてもよい。また、図６Ａ及び６Ｂでは、単一のＤＣＩ又はアンテナポート毎のＤＣＩにより全アンテナポート（＃ｘ、＃ｙ、＃ｚ）のＤＬ−ＳＲＳの受信が指示されるがこれに限られない。図６Ａ及び６Ｂにおいて、一部のアンテナポート（例えば、＃ｙのみ）のＤＬ−ＳＲＳの受信が指示されてもよい。
【００６７】
以上のように、第１の態様では、ＤＬ−ＳＲＳ（又は、少なくとの一つのアンテナポートのＤＬ−ＳＲＳ）が、同じサブフレームのＤＣＩにより動的にスケジューリングされるため、ＤＬサウンディングの柔軟性や拡張性を確保できる。したがって、動的サブフレーム利用が適用される将来の無線通信システムにおいて、適切にＤＬサウンディングを行うことができる。
【００６８】
（第２の態様）
第２の態様では、以上のようなＤＬ−ＳＲＳを用いて生成されるＣＳＩのフィードバック（報告）制御について説明する。ユーザ端末においてＤＬ−ＳＲＳを用いて測定されたＤＬのチャネル状態を示すＣＳＩは、早期に無線基地局にフィードバックする必要がある。
【００６９】
既存のＬＴＥシステムでは、ユーザ端末は、ＤＣＩに含まれるＣＳＩ要求フィールド（CSI  Request  field）の値に基づいてＣＳＩをフィードバックすることができる（非周期的ＣＳＩ報告：Aperiodic  CSI  reporting）。一方で、当該非周期ＣＳＩ報告では、上記ＤＣＩの４サブフレーム以降にしかＣＳＩをフィードバックすることができない。遅延削減のためには、既存のＬＴＥシステムよりも速いタイミングでＣＳＩを報告可能とすることが望まれる。
【００７０】
第２の態様において、上記ＤＬ−ＳＲＳを用いて生成されるＣＳＩのフィードバック（報告）は、当該ＤＬ−ＳＲＳ用のＤＣＩにより指示（スケジューリング）されてもよいし、当該ＤＬ−ＳＲＳ用のＤＣＩとは別のＣＳＩフィードバック用のＤＣＩにより指示されてもよい。ユーザ端末は、ＤＬサウンディング用又はＣＳＩフィードバック用のＤＣＩに含まれるＣＳＩ要求情報に基づいて、ＵＬデータ信号（ＵＬデータチャネル）又はＵＬ制御信号（ＵＬ制御チャネル）を用いたＣＳＩのフィードバック（報告）を制御する。
【００７１】
ここで、ＣＳＩ要求情報とは、ＣＳＩのフィードバックに関する情報であり、例えば、ＣＳＩのフィードバックを要求するか否か、どのアンテナポート（ＣＳＩプロセス）のＣＳＩのフィードバックを要求するか、ＣＳＩのフィードバックに用いられる時間及び／又は周波数リソース（以下、ＣＳＩフィードバックリソースという）などを示してもよい。
【００７２】
＜ＤＣＩ＞
図７及び８は、第２の態様に係るＣＳＩフィードバック制御の一例を示す図である。なお、図７及び８では、ＤＬサウンディングリソースが、サブフレーム内の制御領域を除く全てのシンボルにおいて制御領域と同一の帯域幅に割り当てられる例を説明するが、図３で説明したように、ＤＬサウンディングリソースの割り当て例はこれに限られない。
【００７３】
図７では、ＤＬ−ＳＲＳ用のＤＣＩを用いたＣＳＩフィードバック制御の一例が示される。図７では、ＤＬ−ＳＲＳ用のＤＣＩは、上述したＤＬ−ＳＲＳスケジューリング情報とＣＳＩ要求情報との双方を含む。なお、以下において、ＤＬ−ＳＲＳ用のＤＣＩとは、ＤＬ−ＳＲＳスケジューリング情報を含むＤＬデータ用のＤＣＩであってもよいし、ＤＬデータ用のＤＣＩとは別に設けられるＤＬ−ＳＲＳ用のＤＣＩであってもよい。
【００７４】
図７Ａ及び７Ｂにおいて、ユーザ端末は、ＤＬ−ＳＲＳ用のＤＣＩに含まれるＤＬ−ＳＲＳスケジューリング情報に基づいてＤＬ−ＳＲＳを受信し、当該ＤＬ−ＳＲＳを用いてＣＳＩを生成する。ユーザ端末は、ＤＬ−ＳＲＳ用のＤＣＩ内に含まれるＣＳＩ要求情報に基づいて、当該ＤＣＩ及びＤＬ−ＳＲＳを含むサブフレームｎ以降のサブフレームｎ＋ｋ（ｋ≧０）で、上記ＣＳＩを送信する。
【００７５】
例えば、図７Ａに示すように、ユーザ端末は、当該ＤＣＩ及びＤＬ−ＳＲＳを含むサブフレームｎ（自己完結型サブフレーム）（ｋ＝０）で上記ＣＳＩを送信してもよい。或いは、図７Ｂに示すように、ユーザ端末は、サブフレームｎの次のサブフレームｎ＋１（ｋ＝１）で上記ＣＳＩを送信してもよい。
【００７６】
図７Ａ及び７Ｂに示すように、同じＤＣＩで、ＤＬ−ＳＲＳの受信と、当該ＤＬ−ＳＲＳを用いて生成されるＣＳＩの送信とを指示する場合、無線基地局は、同じＤＣＩで指示されるＤＬ−ＳＲＳを用いてＣＳＩが生成されると推定することができる。このため、ユーザ端末は、無線基地局に対して、“どのＤＬ−ＳＲＳを用いて測定されたＣＳＩか”を示す情報を送信しなくともよく、ＣＳＩ報告に係るオーバヘッドを削減できる。
【００７７】
図８では、ＤＬ−ＳＲＳ用のＤＣＩとは別のＣＳＩフィードバック用のＤＣＩを用いたＣＳＩフィードバック制御の一例が示される。図８では、ＤＬ−ＳＲＳ用のＤＣＩは、上述したＤＬ−ＳＲＳスケジューリング情報を含み、ＣＳＩフィードバック用のＤＣＩは、上述したＣＳＩ要求情報を含む。
【００７８】
図８Ａ及び８Ｂにおいて、ユーザ端末は、ＤＬ−ＳＲＳ用のＤＣＩに含まれるＤＬ−ＳＲＳスケジューリング情報に基づいてＤＬ−ＳＲＳを受信し、当該ＤＬ−ＳＲＳを用いてＣＳＩを生成する。ユーザ端末は、ＣＳＩフィードバック用のＤＣＩ内に含まれるＣＳＩ要求情報に基づいて、当該ＤＣＩを含むサブフレームｎ以降のサブフレームｎ＋ｋ（ｋ≧０）で、上記ＣＳＩを送信する。
【００７９】
例えば、図８Ａに示すように、無線基地局は、ＤＬ−ＳＲＳ用のＤＣＩを含むサブフレームｎ−１の次のサブフレームｎでＣＳＩフィードバック用のＤＣＩを送信してもよい。ユーザ端末は、当該サブフレームｎ（ｋ＝０）で、ＣＳＩフィードバック用のＤＣＩに含まれるＣＳＩ要求情報に基づいて、ＣＳＩを送信する。この場合、ユーザ端末は、当該ＣＳＩがサブフレームｎ−１で受信したＤＬ−ＳＲＳを用いて測定されたことを示す情報を送信してもよい。
【００８０】
或いは、図８Ｂに示すように、無線基地局は、ＤＬ−ＳＲＳ用のＤＣＩを含むサブフレームｎ−２の２サブフレーム後のサブフレームｎで、ＣＳＩフィードバック用のＤＣＩを送信してもよい。ユーザ端末は、当該サブフレームｎ（ｋ＝０）で、ＣＳＩフィードバック用のＤＣＩに含まれるＣＳＩ要求情報に基づいて、ＣＳＩを送信する。この場合、ユーザ端末は、当該ＣＳＩがサブフレームｎ−２で受信したＤＬ−ＳＲＳを用いて測定されたことを示す情報を送信してもよい。
【００８１】
図８Ａ及び８Ｂに示すように、別々のＤＣＩで、ＤＬ−ＳＲＳの受信と、当該ＤＬ−ＳＲＳを用いて生成されるＣＳＩの送信とを指示する場合、より柔軟性の高いＣＳＩ報告を行うことができる。例えば、図示しないが、サブフレームｎでＣＳＩフィードバック用のＤＣＩが受信される場合、サブフレームｎ−２及びｎ−１でそれぞれ生成されるＣＳＩを、サブフレームｎでまとめて送信することもできる。
【００８２】
なお、同じＤＬ制御チャネルに含まれる別々のＤＣＩで、ＤＬ−ＳＲＳの受信と、当該ＤＬ−ＳＲＳを用いて生成されるＣＳＩの送信とを指示する場合、ＣＳＩフィードバック用のＤＣＩの分だけブラインド復号の総数を増加させてもいし、ブラインド復号の総数を変更せずに各ＤＣＩのブラインド復号数を削減してもよい。
【００８３】
＜複数のアンテナポートのＣＳＩ＞
第１の態様で説明したように、複数のアンテナポートにそれぞれ対応する複数のＤＬ−ＳＲＳは同一のサブフレームに多重されてもよい。ここでは、当該複数のアンテナポートのＣＳＩのフィードバック制御について説明する。具体的には、（１）同一のＤＣＩを用いて当該複数のＤＬ−ＳＲＳの受信と少なくとも一つのアンテナポートのＣＳＩの送信とを指示する場合と、（２）異なるＤＣＩを用いて当該複数のＤＬ−ＳＲＳの受信と少なくとも一つのアンテナポートのＣＳＩの送信とを指示する場合と、について説明する。
【００８４】
（１）同一のＤＣＩを用いる場合
図９は、第２の態様に係るＣＳＩフィードバック制御の一例を示す図である。図９では、サブフレームｎで受信されるＤＣＩが、アンテナポート＃ｘ、＃ｙ、＃ｚにそれぞれ対応する複数のＤＬ−ＳＲＳの受信と、当該複数のＤＬ−ＳＲＳを用いて生成される複数のアンテナポートのＣＳＩの送信と、を指示する場合が示される。
【００８５】
図９に示す場合、上記ＤＣＩに含まれるＣＳＩ要求情報に基づいて、ＵＬデータ信号（ＵＬデータチャネル）又はＵＬ制御信号（ＵＬ制御チャネル）を用いたアンテナポート＃ｘ、＃ｙ、＃ｚのＣＳＩの送信を制御する。例えば、図９では、ユーザ端末は、サブフレームｎ＋１でアンテナポート＃ｘ、＃ｙ、＃ｚのＣＳＩを送信する。アンテナポート＃ｘ、＃ｙ、＃ｚのＣＳＩは、結合符号化されてもよいし、別々に符号化されてもよい。
【００８６】
図９に示すように、同じＤＣＩで、複数のＤＬ−ＳＲＳの受信と、当該複数のＤＬ−ＳＲＳを用いて生成される複数のＣＳＩの送信とを指示する場合、無線基地局は、同じＤＣＩで指示される複数のＤＬ−ＳＲＳを用いて当該複数のＣＳＩが生成されると推定することができる。このため、ユーザ端末は、無線基地局に対して、“どのＤＬ−ＳＲＳを用いて測定されたＣＳＩか”を示す情報を送信しなくともよく、ＣＳＩフィードバックに係るオーバヘッドを削減できる。
【００８７】
図１０は、第２の態様に係るＣＳＩフィードバック制御の一例を示す図である。図１０Ａでは、各アンテナポートのＤＣＩが、各アンテナポートのＤＬ−ＳＲＳの受信と、各アンテナポートのＣＳＩフィードバックリソースを指示する場合が示される。
【００８８】
図１０Ａでは、アンテナポート＃ｘ、＃ｙ、＃ｚ用のＤＣＩには、それぞれ、アンテナポート＃ｘ、＃ｙ、＃ｚのＤＬ−ＳＲＳスケジューリング情報と、アンテナポート＃ｘ、＃ｙ、＃ｚのＣＳＩフィードバックリソースを示すＣＳＩ要求情報とが含まれる。ユーザ端末は、アンテナポート＃ｘ、＃ｙ、＃ｚのＤＬ−ＳＲＳスケジューリング情報に基づいて、アンテナポート＃ｘ、＃ｙ、＃ｚのＣＳＩをそれぞれ測定し、別々に符号化する。ユーザ端末は、別々に符号化されたアンテナポート＃ｘ、＃ｙ、＃ｚのＣＳＩを、それぞれ異なるＣＳＩフィードバックリソース＃ｘ、＃ｙ、＃ｚを用いて送信する。
【００８９】
一方、図１０Ｂでは、いずれかのアンテナポート用のＤＣＩにより、少なくとも一つのアンテナポートのＣＳＩの送信が指示される場合が示される。図１０Ｂでは、アンテナポート＃ｘ、＃ｚ用のＤＣＩには、それぞれ、アンテナポート＃ｘ、＃ｚのＤＬ−ＳＲＳスケジューリング情報が含まれる。一方、アンテナポート＃ｙ用のＤＣＩには、アンテナポート＃ｙのＤＬ−ＳＲＳスケジューリング情報と、ＣＳＩフィードバックリソースを示すＣＳＩ要求情報とが含まれる。
【００９０】
図１０Ｂにおいて、ユーザ端末は、アンテナポート＃ｘ、＃ｙ、＃ｚのＤＬ−ＳＲＳスケジューリング情報に基づいて、アンテナポート＃ｘ、＃ｙ、＃ｚのＣＳＩをそれぞれ測定する。ユーザ端末は、アンテナポート＃ｘ用のＤＣＩで示されるＣＳＩフィードバックリソースを用いて、アンテナポート＃ｘ、＃ｙ、＃ｚの少なくとも一つのＣＳＩを送信する。
【００９１】
ここで、ＣＳＩフィードバックリソースを指定するＤＣＩ（図１０Ｂでは、アンテナポート＃ｘ用のＤＣＩ）は、予め定められてもよいし、上位レイヤシグナリングにより設定されてもよい。例えば、ＣＳＩフィードバックリソースを指定するＤＣＩは、アンテナポートインデックスが最も低いアンテナポートのＤＬ−ＳＲＳの受信を指示するＤＣＩであってもよい。
【００９２】
また、ＣＳＩフィードバックリソースを指定するＤＣＩ（図１０Ｂでは、アンテナポート＃ｘ用のＤＣＩ）と、ＣＳＩフィードバックリソースを指定しないＤＣＩ（図１０Ｂでは、アンテナポート＃ｙ、＃ｚ用のＤＣＩ）とでは、ペイロードが異なっていてもよい。
【００９３】
また、ユーザ端末は、上記ＣＳＩフィードバックリソースを用いて、上位レイヤシグナリングにより設定されるアンテナポート（ここでは、＃ｘ、＃ｙ、＃ｚ）のＣＳＩを送信してもよいし（準静的ＣＳＩコードブック決定：Semi-static  CSI  codebook  determination）、当該ＤＣＩにより指定されるアンテナポートのＣＳＩを送信してもよい（動的ＣＳＩコードブック適応：Dynamic  CSI  codebook  adaptation）。
【００９４】
準静的ＣＳＩコードブック決定では、各アンテナポート用のＤＣＩ並びにそれが指示する当該アンテナポートのＤＬ−ＳＲＳの受信有無に関わらず、ユーザ端末は、上位レイヤシグナリングにより設定される全てのアンテナポートのＣＳＩを送信してもよい。ＤＣＩの受信（検出）に成功したアンテナポートのＣＳＩだけを送信する場合、ユーザ端末と無線基地局との間でのＣＳＩコードブック（フィードバックされるＣＳＩの数）の認識の不一致が生じるためである。
【００９５】
例えば、ユーザ端末は、アンテナポート＃ｘ、＃ｙ、＃ｚそれぞれのＤＣＩのうち、アンテナポート＃ｚ用のＤＣＩの受信に失敗する場合、ＤＣＩの受信に成功したアンテナポート＃ｘ、＃ｙのＣＳＩを測定できるが、ＤＣＩの受信に失敗したアンテナポート＃ｚのＣＳＩを測定できない。この場合、ユーザ端末は、アンテナポート＃ｘ、＃ｙのＣＳＩだけでなく、アンテナポート＃ｚのＣＳＩも上り制御情報（ＵＣＩ）に含めて（アンテナポート＃ｘ、＃ｙ、＃ｚのＣＳＩを結合符号化して）、無線基地局に送信する。このときＤＣＩの受信に失敗したアンテナポート＃ｚのＤＬ−ＳＲＳで測定した結果は無いため、当該アンテナポートのＣＳＩ測定結果として、最も低いＣＳＩ値（例えばＯｕｔ  ｏｆ  ｒａｎｇｅ（ＯＯＲ）またはＣＳＩ  ｉｎｄｅｘ  ＃０など）を報告しても良い。これにより、ユーザ端末と無線基地局との間のＣＳＩコードブックの認識一致を確立できる。
【００９６】
一方、動的ＣＳＩコードブック適応では、無線基地局が、ＤＣＩにより、“どのアンテナポートに対応するＤＬ−ＳＲＳを用いて測定したＣＳＩを報告すべきか”をユーザ端末に指示してもよい。例えば、ＣＳＩフィードバックリソースを指定するＤＣＩ（図１０Ｂでは、アンテナポート＃ｘ用のＤＣＩ）に、“どのアンテナポートに対応するＤＬ−ＳＲＳを用いて測定したＣＳＩを報告すべきか”を示す情報が含められる。
【００９７】
この場合、ユーザ端末は、無線基地局により指示されたアンテナポートのＤＣＩの受信有無に関わらず、当該アンテナポートのＣＳＩを無線基地局に送信する。これにより、ユーザ端末と無線基地局との間のＣＳＩコードブックの認識一致を確立できる。
【００９８】
或いは、動的ＣＳＩコードブック適応では、ユーザ端末が、“どのアンテナポートに対応するＤＬ−ＳＲＳを用いて測定したＣＳＩを報告するか”を無線基地局に通知してもよい。例えば、ユーザ端末は、アンテナポート＃ｘ、＃ｙ、＃ｚそれぞれのＤＣＩのうち、アンテナポート＃ｚ用のＤＣＩの受信に失敗する場合、ＤＣＩの受信に成功したアンテナポート＃ｘ、＃ｙのＣＳＩと、アンテナポート＃ｘ、＃ｙのＣＳＩを報告することを示す情報と、を無線基地局に送信する。なお、当該ＣＳＩと当該情報とは、別々に符号化（セパレート符号化）されてもよい。
【００９９】
この場合、ユーザ端末が、ＤＣＩの受信に成功したアンテナポートのＤＬ−ＳＲＳを用いて測定したＣＳＩだけを無線基地局に送信しても、ユーザ端末と無線基地局との間のＣＳＩコードブックの認識一致を確立できる。したがって、無線基地局に送信されるＣＳＩの精度を向上させることができる。
【０１００】
（２）異なるＤＣＩを用いる場合
図１１は、第２の態様に係るＣＳＩフィードバック制御の一例を示す図である。図１１では、複数のアンテナポートそれぞれに対応する複数のＤＬ−ＳＲＳの受信と、当該複数のＤＬ−ＳＲＳの少なくとも一つのＣＳＩの送信とが、別々のＤＣＩにより指示される場合が示される。
【０１０１】
図１１に示す場合、サブフレームｎ−２及びｎ−１のそれぞれで受信されるＤＣＩに基づいて、ユーザ端末は、アンテナポート＃ｘ、＃ｙ、＃ｚのＤＬ−ＳＲＳを受信し、当該アンテナポート＃ｘ、＃ｙ、＃ｚのＣＳＩを生成する。
【０１０２】
また、サブフレームｎで受信されるＤＣＩに含まれるＣＳＩ要求情報に基づいて、ＵＬデータ信号（ＵＬデータチャネル）又はＵＬ制御信号（ＵＬ制御チャネル）を用いたアンテナポート＃ｘ、＃ｙ、＃ｚの少なくとも一つのＣＳＩの送信を制御する。当該ＣＳＩ要求情報は、ＣＳＩフィードバックリソースを示してもよい。
【０１０３】
また、サブフレームｎにおいて、ユーザ端末は、上述の準静的ＣＳＩコードブック決定により、上位レイヤシグナリングにより設定されるアンテナポート（ここでは、＃ｘ、＃ｙ、＃ｚ）のＣＳＩを送信してもよいし、上述の動的ＣＳＩコードブック適応により、ＤＣＩ内のＣＳＩ要求情報により指示されるアンテナポートのＣＳＩを送信してもよい。
【０１０４】
準静的ＣＳＩコードブック決定では、ユーザ端末は、上位レイヤシグナリングによりＤＬ−ＳＲＳ用に設定される全時間及び／又は周波数リソース（例えば、サブフレーム、コンポーネントキャリア、アクセスポイントなど）におけるＣＳＩを送信してもよい。
【０１０５】
また、動的ＣＳＩコードブック適応では、ユーザ端末は、無線基地局からのＤＣＩにより指示される時間及び／又は周波数リソース（例えば、サブフレーム、コンポーネントキャリア、アクセスポイントなど）におけるＣＳＩを送信してもよい。或いは、ユーザ端末が、どの時間及び／又は周波数リソース（例えば、サブフレーム、コンポーネントキャリア、アクセスポイントなど）におけるＣＳＩを報告するかを、無線基地局に通知してもよい。
【０１０６】
以上のように、第２の態様では、ＤＬ−ＳＲＳ（又は、少なくとの一つのアンテナポートのＤＬ−ＳＲＳ）を用いて生成されるＣＳＩのフィードバックが、当該ＤＬ−ＳＲＳと同一又は異なるＤＣＩにより動的に制御される。したがって、動的サブフレーム利用が適用される将来の無線通信システムにおいて、ＤＬ−ＳＲＳを用いて測定されたＣＳＩをより柔軟に無線基地局にフィードバックすることができる。
【０１０７】
（無線通信システム）
以下、本発明の一実施の形態に係る無線通信システムの構成について説明する。この無線通信システムでは、上記各態様に係る無線通信方法のいずれか又は組み合わせを用いて通信が行われる。
【０１０８】
図１２は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０９】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１０】
図１２に示す無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。
【０１１１】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１１２】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１１４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１１５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）が適用される。
【０１１８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１９】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１２０】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認情報などが伝送される。ＰＲＡＣＨにより、セルとの接続確立のためのランダムアクセスプリアンブルが伝送される。
【０１２２】
無線通信システム１では、ＤＬ参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、ＵＬ参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２３】
＜無線基地局＞
図１３は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２４】
ＤＬにより無線基地局１０からユーザ端末２０に送信されるユーザデータは、上位局装置３０から伝送路インターフェース１０６を介してベースバンド信号処理部１０４に入力される。
【０１２５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、ＤＬ制御信号に関しても、チャネル符号化や逆高速フーリエ変換などの送信処理が行われて、送受信部１０３に転送される。
【０１２６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２７】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１２８】
ベースバンド信号処理部１０４では、入力されたＵＬ信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１２９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３０】
なお、送受信部１０３は、ＤＬ信号（例えば、ＤＬ制御信号、ＤＬデータ信号、ＤＬ参照信号、ディスカバリ信号、同期信号、報知信号、ＤＬ−ＳＲＳなど）を送信し、ＵＬ信号（例えば、ＵＬ制御信号、ＵＬデータ信号、ＵＬ参照信号、ランダムアクセスプリアンブル、ＵＬ−ＳＲＳなど）を受信する。
【０１３１】
具体的には、送受信部１０３は、制御部３０１の指示に従って、ＤＬ−ＳＲＳを送信する（第１の態様）。また、送受信部１０３は、当該ＤＬ−ＳＲＳと同一のサブフレームで、当該ＤＬ−ＳＲＳの受信を指示するＤＣＩを送信する。また、送受信部１０３は、複数のアンテナポートそれぞれに対応する複数のＤＬ−ＳＲＳを送信してもよい。また、送受信部１０３は、当該複数のＤＬ−ＳＲＳと同一のサブフレームで、当該複数のＤＬ−ＳＲＳの受信を指示するＤＣＩ、又は、アンテナポート毎にＤＬ−ＳＲＳの受信を指示するＤＣＩを送信してもよい。
【０１３２】
また、送受信部１０３は、上記ＤＬ−ＳＲＳを用いて生成されるＣＳＩを受信する（第２の態様）。また、送受信部１０３は、当該ＣＳＩの送信を指示するＤＣＩを送信してもよい。また、送受信部１０３は、少なくとも一つのアンテナポートのＣＳＩを受信してもよい。また、送受信部１０３は、当該少なくとも一つのアンテナポートのＣＳＩの送信を指示するＤＣＩを送信してもよい。
【０１３３】
図１４は、本実施の形態に係る無線基地局の機能構成の一例を示す図である。なお、図１４では、本実施形態における特徴部分の機能ブロックを主に示しており、無線基地局１０は、無線通信に必要な他の機能ブロックも有しているものとする。図１４に示すように、ベースバンド信号処理部１０４は、制御部（スケジューラ）３０１と、送信信号生成部３０２と、マッピング部３０３と、受信信号処理部３０４と、測定部３０５と、を少なくとも備えている。
【０１３４】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３５】
制御部３０１は、例えば、送信信号生成部３０２による信号の生成や、マッピング部３０３による信号の割り当てを制御する。また、制御部３０１は、受信信号処理部３０４による信号の受信処理や、測定部３０５による信号の測定を制御する。
【０１３６】
制御部３０１は、ＤＬ信号及び／又はＵＬ信号のスケジューリング（例えば、リソース割り当て）を制御する。例えば、制御部３０１は、固定サブフレーム（図１及び２参照）において予め設定されたＤＬ信号（例えば、ディスカバリ信号、同期信号、報知信号など）及び／又はＵＬ信号（例えば、ランダムアクセスプリアンブルなど）をスケジューリングしてもよい。また、制御部３０１は、動的サブフレーム（図１及び２参照）においてＤＬ信号（例えば、ＤＬ−ＳＲＳ、ＤＬデータ信号など）及び／又はＵＬ信号（例えば、ＵＬ−ＳＲＳ、ＵＬデータ信号など）をスケジューリングしてもよい。
【０１３７】
具体的には、制御部３０１は、ＤＬ−ＳＲＳと同一のサブフレーム内で送信されるＤＣＩを用いて、ＤＬ−ＳＲＳ（又は、少なくとも一つのアンテナポートのＤＬ−ＳＲＳ）をスケジューリングしてもよい。例えば、制御部３０１は、ＤＬ−ＳＲＳを送信するか否か、当該ＤＬ−ＳＲＳをマッピングするＤＬサウンディングリソースを決定する。制御部３０１は、ＤＬ−ＳＲＳの受信を指示するＤＣＩ（ＤＬ−ＳＲＳ用のＤＣＩ）を生成するよう、送信信号生成部３０２を制御する。
【０１３８】
ここで、当該ＤＬ−ＳＲＳ用のＤＣＩは、ＤＬデータ信号の受信を指示する（ＤＬデータ信号のスケジューリング情報及びＤＬ−ＳＲＳスケジューリング情報を含む）ＤＣＩ（ＤＬデータ信号用のＤＣＩ、例えば、ＤＬアサインメント）であってもよいし、当該ＤＬデータ信号用のＤＣＩとは別に設けられた、ＤＬ−ＳＲＳスケジューリング情報を含むＤＣＩであってもよい。
【０１３９】
また、当該ＤＬ−ＳＲＳ用のＤＣＩは、複数のアンテナポートそれぞれに対応する複数のＤＬ−ＳＲＳの受信を指示する単一のＤＣＩであってもよい。或いは、当該ＤＬ−ＳＲＳ用のＤＣＩは、アンテナポート毎に設けられた、対応するアンテナポートのＤＬ−ＳＲＳの受信を指示するＤＣＩであってもよい。
【０１４０】
また、制御部３０１は、ＤＬ−ＳＲＳを用いて生成されるＣＳＩ（又は、少なくとも一つのＤＬ−ＳＲＳを用いて生成される少なくとも一つのＣＳＩ）のフィードバックを制御してもよい。例えば、制御部３０１は、ＣＳＩの送信を指示するＤＣＩ（ＣＳＩフィードバック用のＤＣＩ）を生成するよう、送信信号生成部３０２を制御する。
【０１４１】
ここで、当該ＣＳＩフィードバック用のＤＣＩは、ＣＳＩ要求情報を含む上記ＤＬ−ＳＲＳ用のＤＣＩであってもよいし、上記ＤＬ−ＳＲＳ用のＤＣＩとは別に、ＣＳＩ要求情報を含むＤＣＩであってもよい。
【０１４２】
ＤＬ−ＳＲＳの受信とＣＳＩの送信とを同一のＤＣＩで指示する場合、制御部３０１は、アンテナポート毎のＤＣＩにより、対応するアンテナポートのＣＳＩの送信を指示してもよいし、いずれかのアンテナポートのＤＣＩにより、少なくとも一つのＣＳＩの送信を指示してもよい。当該少なくとも一つのＣＳＩは、上位レイヤシグナリングにより予め設定されていてもよいし（静的ＣＳＩコードブック設定）、当該ＤＣＩにより指定されるか、ユーザ端末から通知されてもよい（動的ＣＳＩコードブック適応）。
【０１４３】
ＤＬ−ＳＲＳの受信とＣＳＩの送信とを異なるＤＣＩで指示する場合、制御部３０１は、ＣＳＩフィードバック用のＣＳＩにより、少なくとも一つのＣＳＩの送信を指示してもよい。当該少なくとも一つのＣＳＩは、上位レイヤシグナリングにより予め設定されていてもよいし（静的ＣＳＩコードブック設定）、当該ＤＣＩにより指定されるか、ユーザ端末から通知してもよい（動的ＣＳＩコードブック適応）。
【０１４４】
送信信号生成部３０２は、制御部３０１からの指示に基づいて、ＤＬ信号（ＤＬ制御信号（ＤＣＩ）、ＤＬデータ信号、ＤＬ参照信号、ＤＬ−ＳＲＳなど）を生成して、マッピング部３０３に出力する。送信信号生成部３０２は、本発明に係る技術分野での共通認識に基づいて説明される信号生成器、信号生成回路又は信号生成装置から構成することができる。
【０１４５】
送信信号生成部３０２は、例えば、制御部３０１からの指示に基づいて、ＤＬデータ信号のスケジューリング情報及び／又はＤＬ−ＳＲＳスケジューリング情報を通知するＤＬ制御信号（例えば、ＤＬアサインメント）及びＵＬ信号のスケジューリング情報及び／又はＣＳＩ要求情報を通知するＤＬ制御信号（例えば、ＵＬグラント）を生成する。また、ＤＬデータ信号には、各ユーザ端末２０からのチャネル状態情報（ＣＳＩ：Channel  State  Information）などに基づいて決定された符号化率、変調方式などに従って符号化処理、変調処理が行われる。
【０１４６】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４７】
受信信号処理部３０４は、送受信部１０３から入力された受信信号に対して、受信処理（例えば、デマッピング、復調、復号など）を行う。ここで、受信信号は、例えば、ユーザ端末２０から送信されるＵＬ信号（ＵＬ制御信号、ＵＬデータ信号、ＵＬ参照信号など）である。受信信号処理部３０４は、本発明に係る技術分野での共通認識に基づいて説明される信号処理器、信号処理回路又は信号処理装置から構成することができる。
【０１４８】
受信信号処理部３０４は、受信処理により復号された情報を制御部３０１に出力する。例えば、フィードバック信号（例えば、ＨＡＲＱ−ＡＣＫ）を受信した場合、当該フィードバック信号を制御部３０１に出力する。また、受信信号処理部３０４は、受信信号や、受信処理後の信号を、測定部３０５に出力する。
【０１４９】
測定部３０５は、受信した信号に関する測定を実施する。測定部３０５は、本発明に係る技術分野での共通認識に基づいて説明される測定器、測定回路又は測定装置から構成することができる。
【０１５０】
測定部３０５は、例えば、受信した信号の受信電力（例えば、ＲＳＲＰ（Reference  Signal  Received  Power））、受信品質（例えば、ＲＳＲＱ（Reference  Signal  Received  Quality））やチャネル状態などについて測定してもよい。測定結果は、制御部３０１に出力されてもよい。
【０１５１】
＜ユーザ端末＞
図１５は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５２】
送受信アンテナ２０１で受信された無線周波数信号は、アンプ部２０２で増幅される。送受信部２０３は、アンプ部２０２で増幅されたＤＬ信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５３】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１５４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１５５】
なお、送受信部２０３は、ＤＬ信号（例えば、ＤＬ制御信号、ＤＬデータ信号、ＤＬ参照信号、ディスカバリ信号、同期信号、報知信号、ＤＬ−ＳＲＳなど）を受信し、ＵＬ信号（例えば、ＵＬ制御信号、ＵＬデータ信号、ＵＬ参照信号、ランダムアクセスプリアンブル、ＵＬ−ＳＲなど）を送信する。具体的には、送受信部２０３は、ＤＬ周波数でＤＬ信号を受信し、ＵＬ周波数でＵＬ信号を送信する。
【０１５６】
具体的には、送受信部２０３は、制御部４０１の指示に従って、ＤＬ−ＳＲＳを受信する（第１の態様）。また、送受信部２０３は、当該ＤＬ−ＳＲＳと同一のサブフレームで、当該ＤＬ−ＳＲＳの受信を指示するＤＣＩを受信する。また、送受信部２０３は、複数のアンテナポートそれぞれに対応する複数のＤＬ−ＳＲＳを受信してもよい。また、送受信部２０３は、当該複数のＤＬ−ＳＲＳと同一のサブフレームで、当該複数のＤＬ−ＳＲＳの受信を指示するＤＣＩ、又は、アンテナポート毎にＤＬ−ＳＲＳの受信を指示するＤＣＩを受信してもよい。
【０１５７】
また、送受信部２０３は、上記ＤＬ−ＳＲＳを用いて生成されるＣＳＩを送信する（第２の態様）。また、送受信部２０３は、当該ＣＳＩの送信を指示するＤＣＩを受信してもよい。また、送受信部２０３は、少なくとも一つのアンテナポートのＣＳＩを送信してもよい。また、送受信部２０３は、当該少なくとも一つのアンテナポートのＣＳＩの送信を指示するＤＣＩを受信してもよい。
【０１５８】
図１６は、本実施の形態に係るユーザ端末の機能構成の一例を示す図である。なお、図１６においては、本実施形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１５９】
制御部４０１は、ユーザ端末２０全体の制御を実施する。制御部４０１は、本発明に係る技術分野での共通認識に基づいて説明されるコントローラ、制御回路又は制御装置から構成することができる。
【０１６０】
制御部４０１は、例えば、送信信号生成部４０２による信号の生成や、マッピング部４０３による信号の割り当てを制御する。また、制御部４０１は、受信信号処理部４０４による信号の受信処理や、測定部４０５による信号の測定を制御する。
【０１６１】
制御部４０１は、無線基地局１０から送信されたＤＬ制御信号（ＰＤＣＣＨ／ＥＰＤＣＣＨで送信された信号）及びＤＬデータ信号（ＰＤＳＣＨで送信された信号）を、受信信号処理部４０４から取得する。制御部４０１は、ＤＬ制御信号や、ＤＬデータ信号に対する再送制御の要否を判定した結果などに基づいて、フィードバック信号信号（例えば、ＨＡＲＱ−ＡＣＫなど）やＵＬデータ信号の生成を制御する。
【０１６２】
制御部４０１は、固定サブフレームにおいて予め設定されたＤＬ信号（例えば、ディスカバリ信号、同期信号、報知信号など）の受信及び／又はＵＬ信号（例えば、ランダムアクセスプリアンブルなど）の送信を制御する。また、制御部４０１は、動的サブフレームにおけるＤＬ信号の受信及び／又はＵＬ信号の送信を動的又は準動的に制御する。
【０１６３】
また、制御部４０１は、ＤＬ−ＳＲＳと同一のサブフレーム内で送信されるＤＣＩに基づいて、ＤＬ−ＳＲＳ（又は、少なくとも一つのアンテナポートのＤＬ−ＳＲＳ）の受信を制御する。具体的には、当該ＤＣＩに含まれるＤＬ−ＳＲＳスケジューリング情報（ＤＬ−ＳＲＳを送信するか否か、当該ＤＬ−ＳＲＳをマッピングするＤＬサウンディングリソースを示す情報）に基づいて、ＤＬ−ＳＲＳの受信を制御する。
【０１６４】
ここで、当該ＤＬ−ＳＲＳ用のＤＣＩは、ＤＬデータ信号の受信を指示する（ＤＬデータ信号のスケジューリング情報及びＤＬ−ＳＲＳスケジューリング情報を含む）ＤＣＩ（ＤＬデータ信号用のＤＣＩ、例えば、ＤＬアサインメント）であってもよいし、当該ＤＬデータ信号用のＤＣＩとは別に設けられた、ＤＬ−ＳＲＳスケジューリング情報を含むＤＣＩであってもよい。
【０１６５】
また、当該ＤＬ−ＳＲＳ用のＤＣＩは、複数のアンテナポートそれぞれに対応する複数のＤＬ−ＳＲＳの受信を指示する単一のＤＣＩであってもよい。或いは、当該ＤＬ−ＳＲＳ用のＤＣＩは、アンテナポート毎に設けられた、対応するアンテナポートのＤＬ−ＳＲＳの受信を指示するＤＣＩであってもよい。
【０１６６】
また、制御部４０１は、ＤＬ−ＳＲＳを用いて生成されるＣＳＩ（又は、少なくとも一つのＤＬ−ＳＲＳを用いて生成される少なくとも一つのＣＳＩ）のフィードバックを制御してもよい。例えば、制御部４０１は、ＣＳＩの送信を指示するＤＣＩ（ＣＳＩフィードバック用のＤＣＩ）に基づいて、ＣＳＩを生成及び／又は送信するよう、送信信号生成部４０２及び／又は送受信部２０３を制御する。
【０１６７】
ここで、当該ＣＳＩフィードバック用のＤＣＩは、ＣＳＩ要求情報を含む上記ＤＬ−ＳＲＳ用のＤＣＩであってもよいし、上記ＤＬ−ＳＲＳ用のＤＣＩとは別に、ＣＳＩ要求情報を含むＤＣＩであってもよい。
【０１６８】
ＤＬ−ＳＲＳの受信とＣＳＩの送信とを同一のＤＣＩで指示する場合、制御部４０１は、アンテナポート毎のＤＣＩに基づいて、対応するアンテナポートのＣＳＩの生成及び／又は送信を制御してもよいし、いずれかのアンテナポートのＤＣＩに基づいて、少なくとも一つのＣＳＩの生成及び／又は送信を制御してもよい。当該少なくとも一つのＣＳＩは、上位レイヤシグナリングにより予め設定されていてもよいし（静的ＣＳＩコードブック設定）、当該ＤＣＩにより指定されるか、ユーザ端末から通知してもよい（動的ＣＳＩコードブック適応）。
【０１６９】
ＤＬ−ＳＲＳの受信とＣＳＩの送信とを異なるＤＣＩで指示する場合、制御部４０１は、少なくとも一つのＣＳＩの生成及び／又は送信を制御してもよい。当該少なくとも一つのＣＳＩは、上位レイヤシグナリングにより予め設定されていてもよいし（静的ＣＳＩコードブック設定）、当該ＤＣＩにより指定されるか、ユーザ端末から通知してもよい（動的ＣＳＩコードブック適応）。
【０１７０】
送信信号生成部４０２は、制御部４０１からの指示に基づいて、ＵＬ信号（ＵＬ制御信号、ＵＬデータ信号、ＵＬ参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１７１】
送信信号生成部４０２は、例えば、制御部４０１からの指示に基づいて、送達確認情報やチャネル状態情報（ＣＳＩ）に関するＵＬ制御信号を生成する。また、送信信号生成部４０２は、制御部４０１からの指示に基づいてＵＬデータ信号を生成する。例えば、送信信号生成部４０２は、無線基地局１０から通知されるＤＬ制御信号にＵＬグラントが含まれている場合に、制御部４０１からＵＬデータ信号の生成を指示される。
【０１７２】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１７３】
受信信号処理部４０４は、送受信部２０３から入力された受信信号に対して、受信処理（例えば、デマッピング、復調、復号など）を行う。ここで、受信信号は、例えば、無線基地局１０から送信されるＤＬ信号（ＤＬ制御信号、ＤＬデータ信号、ＤＬ参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１７４】
受信信号処理部４０４は、制御部４０１の指示に基づいて、データ（ＴＢ：Transport  Block）の送信及び／又は受信をスケジューリングするＤＬ制御信号（ＤＣＩフォーマット）をブラインド復号する。例えば、受信信号処理部４０４は、自己完結型サブフレームか否かに基づいて異なる無線リソースをブラインド復号するように構成されてもよい。
【０１７５】
受信信号処理部４０４は、受信処理により復号された情報を制御部４０１に出力する。受信信号処理部４０４は、例えば、報知情報、システム情報、ＲＲＣシグナリング、ＤＣＩなどを、制御部４０１に出力する。受信信号処理部４０４は、データの復号結果を制御部４０１に出力してもよい。また、受信信号処理部４０４は、受信信号や、受信処理後の信号を、測定部４０５に出力する。
【０１７６】
測定部４０５は、受信した信号に関する測定を実施する。測定部４０５は、本発明に係る技術分野での共通認識に基づいて説明される測定器、測定回路又は測定装置から構成することができる。
【０１７７】
測定部４０５は、例えば、受信した信号の受信電力（例えば、ＲＳＲＰ）、受信品質（例えば、ＲＳＲＱ）やチャネル状態などについて測定してもよい。測定結果は、制御部４０１に出力されてもよい。
【０１７８】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１７９】
例えば、本発明の一実施の形態における無線基地局、ユーザ端末などは、本発明の無線通信方法の処理を行うコンピュータとして機能してもよい。図１７は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８０】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８１】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１８２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１８３】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１８４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１８５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク、フラッシュメモリなどの少なくとも１つで構成されてもよい。ストレージ１００３は、補助記憶装置と呼ばれてもよい。
【０１８６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送受信アンテナ１０１（２０１）、アンプ部１０２（２０２）、送受信部１０３（２０３）、伝送路インターフェース１０６などは、通信装置１００４で実現されてもよい。
【０１８７】
入力装置１００５は、外部からの入力を受け付ける入力デバイス（例えば、キーボード、マウスなど）である。出力装置１００６は、外部への出力を実施する出力デバイス（例えば、ディスプレイ、スピーカーなど）である。なお、入力装置１００５及び出力装置１００６は、一体となった構成（例えば、タッチパネル）であってもよい。
【０１８８】
また、プロセッサ１００１やメモリ１００２などの各装置は、情報を通信するためのバス１００７で接続される。バス１００７は、単一のバスで構成されてもよいし、装置間で異なるバスで構成されてもよい。
【０１８９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１９０】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ：Component  Carrier）は、セル、周波数キャリア、キャリア周波数などと呼ばれてもよい。
【０１９１】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭシンボル、ＳＣ−ＦＤＭＡシンボルなど）で構成されてもよい。
【０１９２】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームが送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１９３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力など）を、ＴＴＩ単位で割り当てるスケジューリングを行う。なお、ＴＴＩの定義はこれに限られない。
【０１９４】
１ｍｓの時間長を有するＴＴＩを、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼んでもよい。通常ＴＴＩより短いＴＴＩは、短縮ＴＴＩ、ショートＴＴＩ、短縮サブフレーム、又はショートサブフレームなどと呼ばれてもよい。
【０１９５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０１９６】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１９７】
なお、上述した無線フレーム、サブフレーム、スロット及びシンボルなどの構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプリフィクス（ＣＰ：Cyclic  Prefix）長などの構成は、様々に変更することができる。
【０１９８】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。
【０１９９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２００】
また、ソフトウェア、命令、情報などは、伝送媒体を介して送受信されてもよい。例えば、ソフトウェアが、有線技術（同軸ケーブル、光ファイバケーブル、ツイストペア及びデジタル加入者回線（ＤＳＬ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」などの文言は、「サイド」と読み替えられてもよい。例えば、上りチャネルは、サイドチャネルと読み替えられてもよい。
【０２０２】
同様に、本明細書におけるユーザ端末は、無線基地局で読み替えてもよい。この場合、上述のユーザ端末２０が有する機能を無線基地局１０が有する構成としてもよい。
【０２０３】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０２０４】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、報知情報（ＭＩＢ（Master  Information  Block）、ＳＩＢ（System  Information  Block）など）、ＭＡＣ（Medium  Access  Control）シグナリング）、その他の信号又はこれらの組み合わせによって実施されてもよい。
【０２０５】
また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２０６】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２０７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２０８】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２０９】
本出願は、２０１６年３月２３日出願の特願２０１６−０５９１２７に基づく。この内容は、全てここに含めておく。
【図１】
2017164143.tif 000003
【図２】
2017164143.tif 000004
【図３】
2017164143.tif 000005
【図４】
2017164143.tif 000006
【図５】
2017164143.tif 000007
【図６】
2017164143.tif 000008
【図７】
2017164143.tif 000009
【図８】
2017164143.tif 000010
【図９】
2017164143.tif 000011
【図１０】
2017164143.tif 000012
【図１１】
2017164143.tif 000013
【図１２】
2017164143.tif 000014
【図１３】
2017164143.tif 000015
【図１４】
2017164143.tif 000016
【図１５】
2017164143.tif 000017
【図１６】
2017164143.tif 000018
【図１７】
2017164143.tif 000019
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
測定用参照信号用のリソースを示す情報を含む下り制御情報（ＤＣＩ）を受信する受信部と、
前記ＤＣＩによりトリガされる前記測定用参照信号を用いた、チャネル状態情報（ＣＳＩ）の生成を制御する制御部と、
を具備することを特徴とするユーザ端末。
【請求項２】
前記リソースは、上位レイヤシグナリングにより設定される候補の中から、前記ＤＣＩに含まれる前記情報によって示されることを特徴とする請求項１に記載のユーザ端末。
【請求項３】
前記ＤＣＩ内の情報によって示される前記リソースは、一以上のアンテナポートに対応することを特徴とする請求項１又は請求項２に記載のユーザ端末。
【請求項４】
前記制御部は、前記ＤＣＩによりスケジューリングされる上り共有チャネルを用いた、前記ＣＳＩの送信を制御することを特徴とする請求項１から請求項３のいずれかに記載のユーザ端末。
【請求項５】
前記制御部は、前記ＤＣＩにより指定されるタイミングにおける前記ＣＳＩの送信を制御することを特徴とする請求項１から請求項４のいずれかに記載のユーザ端末。
【請求項６】
測定用参照信号用のリソースを示す情報を含む下り制御情報（ＤＣＩ）を送信する送信部と、
前記ＤＣＩによりトリガされる前記測定用参照信号を用いて生成される、チャネル状態情報（ＣＳＩ）の受信を制御する制御部と、
を具備することを特徴とする無線基地局。
【手続補正３】
【補正対象書類名】明細書
【補正対象項目名】０００９
【補正方法】変更
【補正の内容】
【０００９】
本発明の一態様に係るユーザ端末は、測定用参照信号用のリソースを示す情報を含む下り制御情報（ＤＣＩ）を受信する受信部と、前記ＤＣＩによりトリガされる前記測定用参照信号を用いた、チャネル状態情報（ＣＳＩ）の生成を制御する制御部と、を具備することを特徴とする。
【国際調査報告】
2017164143.tif 000020
2017164143.tif 000021